【手続補正書】
【提出日】平成16年4月7日(2004.4.7)
【手続補正１】
【補正対象書類名】特許請求の範囲
【補正対象項目名】全文
【補正方法】変更
【補正の内容】
【特許請求の範囲】
【請求項１】
複数台の音楽映像再生装置へそれぞれ演奏データを配信するホストコンピュータから通信網を介して配信される演奏データに基づいて演奏音楽を再生する演奏音楽再生手段と、映像を再生する手段と、前記演奏音楽に合わせて発せられる音声を入力する音声入力手段と、採点モードを設定する信号を出力するリモコンと、該リモコンから出力された採点モードを設定する信号を入力するインタフェースと、該インタフェースによって採点モードを設定する信号を入力すると採点モードに移行し、前記音声入力手段によって入力された音声に基づいて歌唱力を採点する採点手段と、
前記採点手段によって得られた採点結果に応じて人数を異ならせた人物映像を出力する採点結果出力手段とを備えたことを特徴とする音楽映像再生装置。
【請求項２】
請求項１記載の音楽映像再生装置において、
前記採点結果出力手段に、前記人物映像を異ならせる手段を設けたことを特徴とする音楽映像再生装置。
【請求項３】
請求項１記載の音楽映像再生装置において、
前記採点結果出力手段に、前記演奏音楽再生手段による演奏音楽の予め割り当てられている曲番号に応じて前記人物映像を異ならせる手段を設けたことを特徴とする音楽映像再生装置。
【請求項４】
請求項１記載の音楽映像再生装置において、
前記採点結果出力手段に、前記音声入力手段による入力音声に応じて前記人物映像を異ならせる手段を設けたことを特徴とする音楽映像再生装置。
【請求項５】
請求項１乃至４のいずれか一項に記載の音楽映像再生装置において、
前記採点結果出力手段に、前記人物映像の動きを異ならせる手段を設けたことを特徴とする音楽映像再生装置。
【請求項６】
請求項１乃至５のいずれか一項に記載の音楽映像再生装置において、
前記採点結果出力手段に、前記曲種類，曲番号，又は音声に応じた吹き出しを出力する手段を設けたことを特徴とする音楽映像再生装置。
【請求項７】
請求項１記載の音楽映像再生装置において、
前記採点結果出力手段に、前記演奏音楽再生手段による演奏音楽の曲種類毎に前記人物映像を異ならせる第１手段と、
前記演奏音楽再生手段による演奏音楽の予め割り当てられている曲番号に応じて前記人物映像を異ならせる第２手段と、
前記音声入力手段による入力音声に応じて前記人物映像を異ならせる第３手段と、
前記人物映像の動きを異ならせる第４手段と、
前記曲種類，曲番号，又は音声に応じた吹き出しを出力する第５手段と、
前記第１〜５手段のいずれかを任意に組み合わせて起動させる手段とを設けたことを特徴とする音楽映像再生装置。
【請求項８】
前記人物映像を異ならせる手段が、前記採点結果の点数の高低に応じて人物の数を増減させる手段であることを特徴とする請求項２記載の音楽映像再生装置。
【請求項９】
前記通信網はＩＳＤＮ公衆網であることを特徴とする請求項１乃至８のいずれか一項に記載の音楽映像再生装置。
【請求項１０】
前記通信網を介して前記ホストコンピュータから配信されるサービス情報を受信する手段を設けたことを特徴とする請求項１乃至９のいずれか一項に記載の音楽映像再生装置。
【請求項１１】
前記サービス情報は、ニュース，天気予報を含むことを特徴とする請求項１０記載の音楽映像再生装置。
【請求項１２】
前記リモコンは、赤外線によって採点モードを設定する信号を出力することを特徴とする請求項１乃至１１のいずれか一項に記載の音楽映像再生装置。
【請求項１３】
前記演奏データは、音データ，曲名称，歌詞データを含むことを特徴とする請求項１乃至１２のいずれか一項に記載の音楽映像再生装置。
【請求項１４】
前記演奏データは、曲種類を含むことを特徴とする請求項１３記載の音楽映像再生装置。
【請求項１５】
前記採点手段は、前記音声入力手段によって入力された音声のテンポ，リズム，音程に基づいて歌唱力を採点する手段であることを特徴とする請求項１乃至１４のいずれか一項に記載の音楽映像再生装置。
【手続補正２】
【補正対象書類名】明細書
【補正対象項目名】０００５
【補正方法】変更
【補正の内容】
【０００５】
この発明は上記の目的を達成するため、複数台の音楽映像再生装置へそれぞれ演奏データを配信するホストコンピュータから通信網を介して配信される演奏データに基づいて演奏音楽を再生する演奏音楽再生手段と、映像を再生する手段と、上記演奏音楽に合わせて発せられる音声を入力する音声入力手段と、採点モードを設定する信号を出力するリモコンと、そのリモコンから出力された採点モードを設定する信号を入力するインタフェースと、そのインタフェースによって採点モードを設定する信号を入力すると採点モードに移行し、上記音声入力手段によって入力された音声に基づいて歌唱力を採点する採点手段と、上記採点手段によって得られた採点結果に応じて人数を異ならせた人物映像を出力する採点結果出力手段を備えた音楽映像再生装置を提供する。
【手続補正３】
【補正対象書類名】明細書
【補正対象項目名】０００６
【補正方法】変更
【補正の内容】
【０００６】
また、上記採点結果出力手段に、上記人物映像を異ならせる手段を設けるとよい。
【手続補正４】
【補正対象書類名】明細書
【補正対象項目名】０００７
【補正方法】変更
【補正の内容】
【０００７】
さらに、上記採点結果出力手段に、上記演奏音楽再生手段による演奏音楽の予め割り当てられている曲番号に応じて上記人物映像を異ならせる手段を設けるとよい。
【手続補正５】
【補正対象書類名】明細書
【補正対象項目名】０００８
【補正方法】変更
【補正の内容】
【０００８】
また、上記採点結果出力手段に、上記音声入力手段による入力音声に応じて上記人物映像を異ならせる手段を設けるとよい。
【手続補正６】
【補正対象書類名】明細書
【補正対象項目名】０００９
【補正方法】変更
【補正の内容】
【０００９】
さらに、上記採点結果出力手段に、上記人物映像の動きを異ならせる手段を設けるとよい。
【手続補正７】
【補正対象書類名】明細書
【補正対象項目名】００１１
【補正方法】変更
【補正の内容】
【００１１】
さらに、上記採点結果出力手段に、上記演奏音楽再生手段による演奏音楽の曲種類毎に上記人物映像を異ならせる第１手段と、上記演奏音楽再生手段による演奏音楽の予め割り当てられている曲番号に応じて上記人物映像を異ならせる第２手段と、上記音声入力手段による入力音声に応じて上記人物映像を異ならせる第３手段と、上記人物映像の動きを異ならせる第４手段と、上記曲種類，曲番号，又は音声に応じた吹き出しを出力する第５手段と、上記第１〜５手段のいずれかを任意に組み合わせて起動させる手段を設けるとよい。
また、上記人物映像を異ならせる手段を、上記採点結果の点数の高低に応じて人物の数を増減させる手段にするとよい。
さらに、上記通信網をＩＳＤＮ公衆網にするとよい。
また、上記通信網を介して上記ホストコンピュータから配信されるサービス情報を受信する手段を設けるとよい。
また、上記サービス情報は、ニュース，天気予報を含むようにするとよい。
さらに、上記リモコンは、赤外線によって採点モードを設定する信号を出力するものにするとよい。
また、上記演奏データは、音データ，曲名称，歌詞データを含むようにするとよい。
さらに、上記演奏データは、曲種類を含むようにするとよい。
さらにまた、上記採点手段を、上記音声入力手段によって入力された音声のテンポ，リズム，音程に基づいて歌唱力を採点する手段にするとよい。